(57)【要約】  超音波治療デバイスを動作させるためのシステムおよび方法は、超音波信号生成器を使用して超音波電気信号を生成することと、超音波振動伝達部材の超音波振動運動を生成するために、超音波トランスデューサーに超音波電気信号を供給することと、超音波トランスデューサーに関連した電気的特性を監視することと、超音波振動伝達部材の遠位端が直面する物質の種類と超音波カテーテルが通過している脈管経路の種類とのうちの少なくとも１つを決定するために、監視された電気的特性を処理することと、超音波振動伝達部材の遠位端が直面する物質の種類と超音波カテーテルが通過している脈管経路の種類とのうちの決定された少なくとも１つに基づいて、超音波電気信号の変調周波数と波形とのうちの少なくとも１つを制御することとを含む。【選択図】図１
2021533842.tif 000002
【特許請求の範囲】
【請求項１】
超音波システムであって、当該超音波システムは、
超音波電気信号を生成するように構成された超音波信号生成器と、
前記超音波信号生成器に電気的に結合された超音波治療デバイスであって、前記超音波治療デバイスが、超音波カテーテルの超音波振動伝達部材に駆動可能に結合された超音波トランスデューサーを含み、前記超音波トランスデューサーが、前記超音波振動伝達部材の超音波振動運動を生成するために前記超音波電気信号を受信する、超音波治療デバイスと、
前記超音波トランスデューサーに関連した電気的特性を監視するように構成された回路構成であって、前記電気的特性が、前記超音波トランスデューサーにかかる総電圧、前記超音波トランスデューサーへの総電流、前記超音波トランスデューサーの誘導電流、または前記総電圧と前記総電流との間の力率のうちの１つであり、前記回路構成がプロセッサ回路を含み、前記プロセッサ回路は、前記超音波振動伝達部材の遠位端が直面する物質の種類と前記超音波カテーテルが通過している脈管経路の種類とのうちの少なくとも１つを決定するために、監視された前記電気的特性を処理するように構成された、回路構成と、
を備え、
前記回路構成が、前記超音波振動伝達部材の前記遠位端が直面する前記物質の前記種類と、前記超音波カテーテルが通過している前記脈管経路の前記種類とのうちの決定された少なくとも１つに基づいて、前記超音波電気信号の変調周波数と波形とのうちの少なくとも１つを制御するために前記超音波信号生成器に供給される制御信号を生成するように構成された、
超音波システム。
【請求項２】
請求項１に記載の超音波システムであって、
ユーザーインターフェースのディスプレイスクリーンに、前記処理するステップの結果を表示するための前記ユーザーインターフェースを備え、
前記結果が、前記超音波振動伝達部材の前記遠位端が直面する前記物質の前記種類と、逸脱状態と、前記超音波カテーテルが通過している前記脈管経路の前記種類とのうちの少なくとも１つを含む、
超音波システム。
【請求項３】
請求項１または２に記載の超音波システムであって、
前記監視する行為が、前記超音波トランスデューサーに関連した複数の電気的特性を監視することを含み、前記複数の電気的特性が、前記超音波トランスデューサーにかかる前記総電圧と、前記超音波トランスデューサーへの前記総電流と、前記超音波トランスデューサーの前記誘導電流と、前記総電圧と前記総電流との間の前記力率とのうちの２つ以上を含み、
前記処理する行為が、前記超音波振動伝達部材の前記遠位端が直面する前記物質と前記超音波カテーテルが通過している前記脈管経路の前記種類とのうちの少なくとも１つを決定するために、監視された前記複数の電気的特性を処理することを含む、
超音波システム。
【請求項４】
請求項１から３のいずれか一項に記載の超音波システムであって、
前記プロセッサ回路構成が、前記超音波振動伝達部材の前記遠位端が直面する前記物質の前記種類を決定するために、監視された前記電気的特性の各々を、それぞれの閾値またはデータプロファイルと比較する、
超音波システム。
【請求項５】
請求項４に記載の超音波システムであって、
前記回路構成が、前記脈管経路における脈管閉塞部を通る前記超音波振動伝達部材の進行の推移を決定するために経時的な値の変化を検出するために、監視された前記電気的特性の各々を監視する、
超音波システム。
【請求項６】
請求項１から３のいずれか一項に記載の超音波システムであって、
前記プロセッサ回路が、前記超音波カテーテルが通過している前記脈管経路の前記種類を決定するために、監視された前記電気的特性の各々を、それぞれの閾値またはデータプロファイルと比較する、
超音波システム。
【請求項７】
超音波システムにおける超音波治療デバイスを動作させる方法であって、前記超音波治療デバイスが、超音波カテーテルの超音波振動伝達部材に駆動可能に結合された超音波トランスデューサーを含み、前記方法が、
超音波信号生成器を使用して超音波電気信号を生成するステップと、
前記超音波振動伝達部材の超音波振動運動を生成するために、前記超音波トランスデューサーに前記超音波電気信号を供給するステップと、
前記超音波トランスデューサーに関連した電気的特性を監視するステップであって、前記電気的特性が、前記超音波トランスデューサーにかかる総電圧、前記超音波トランスデューサーへの総電流、前記超音波トランスデューサーの誘導電流、または前記総電圧と前記総電流との間の力率のうちの１つである、監視するステップと、
前記超音波振動伝達部材の遠位端が直面する物質の種類と、前記超音波カテーテルが通過している脈管経路の種類とのうちの少なくとも１つを決定するために、監視された前記電気的特性を処理するステップと、
前記超音波振動伝達部材の前記遠位端が直面する前記物質の前記種類と、前記超音波カテーテルが通過している前記脈管経路の前記種類とのうちの前記決定された少なくとも１つに基づいて、前記超音波電気信号の変調周波数と波形とのうちの少なくとも１つを制御するステップと、
を含む、方法。
【請求項８】
請求項７に記載の方法であって、
ユーザーインターフェースのディスプレイスクリーンに、前記処理するステップの結果を表示するステップを含み、前記結果が、前記超音波振動伝達部材の前記遠位端が直面する前記物質の前記種類と前記超音波カテーテルが通過している前記脈管経路の前記種類とのうちの少なくとも１つを含む、
方法。
【請求項９】
請求項７または８に記載の方法であって、
前記監視するステップが、前記超音波トランスデューサーに関連した複数の電気的特性を監視するステップを含み、複数の前記電気的特性が、前記超音波トランスデューサーにかかる前記総電圧と、前記超音波トランスデューサーへの前記総電流と、前記超音波トランスデューサーの前記誘導電流と、前記総電圧と前記総電流との間の前記力率とのうちの２つ以上を含み、
前記処理するステップが、前記超音波振動伝達部材の前記遠位端が直面する前記物質と前記超音波カテーテルが通過している前記脈管経路の前記種類とのうちの少なくとも１つを決定するために、監視された前記複数の電気的特性を処理するステップを含む、
方法。
【請求項１０】
請求項７から９のいずれか一項に記載の方法であって、
前記処理するステップが、前記超音波振動伝達部材の前記遠位端が直面する前記物質の前記種類を決定するために、監視された前記電気的特性の各々を、それぞれの閾値またはデータプロファイルと比較するステップを含む、
方法。
【請求項１１】
請求項１０に記載の方法であって、
前記脈管経路における脈管閉塞部を通る前記超音波振動伝達部材の進行の推移を決定するために、経時的な値の変化を検出するために、監視された前記電気的特性の各々を監視するステップを含む、
方法。
【請求項１２】
請求項７から９のいずれか一項に記載の方法であって、
前記処理するステップが、前記超音波カテーテルが通過している前記脈管経路の前記種類を決定するために、監視された前記電気的特性の各々を、それぞれの閾値またはデータプロファイルと比較するステップを含む、
方法。
【請求項１３】
超音波システムにおける超音波治療デバイスの動作状態を決定する方法であって、前記超音波治療デバイスが、超音波カテーテルの超音波振動伝達部材に駆動可能に結合された超音波トランスデューサーを含み、前記方法が、
前記超音波振動伝達部材の超音波振動運動を生成するために、超音波信号生成器を使用して超音波電気信号により前記超音波トランスデューサーを励起するステップと、
前記超音波トランスデューサーに関連した電気的特性を監視するステップであって、前記電気的特性が、前記超音波トランスデューサーにかかる総電圧、前記超音波トランスデューサーへの総電流、前記超音波トランスデューサーの誘導電流、または前記総電圧と前記総電流との間の力率のうちの１つである、監視するステップと、
前記超音波振動伝達部材の遠位端が直面する物質と、前記超音波カテーテルが通過している脈管経路の種類とのうちの少なくとも１つを決定するために、監視された前記電気的特性を処理するステップと、
ユーザーインターフェースのディスプレイスクリーンに、前記処理するステップの結果を表示するステップであって、前記結果が、前記超音波振動伝達部材の前記遠位端が直面する前記物質の前記種類と前記超音波カテーテルが通過している前記脈管経路の前記種類とのうちの少なくとも１つを含む、表示するステップと、
を含む、方法。
【請求項１４】
請求項１３に記載の方法であって、
前記超音波振動伝達部材の前記遠位端が直面する前記物質と前記超音波カテーテルが通過している前記脈管経路の前記種類とのうちの前記決定された少なくとも１つに基づいて、前記超音波電気信号の変調周波数と波形とのうちの少なくとも１つを制御するステップを含む、
方法。
【請求項１５】
請求項１３または１４に記載の方法であって、
前記監視するステップが、前記超音波トランスデューサーに関連した複数の電気的特性を監視するステップを含み、前記複数の電気的特性が、前記超音波トランスデューサーにかかる前記総電圧と、前記超音波トランスデューサーへの前記総電流と、前記超音波トランスデューサーの前記誘導電流と、前記総電圧と前記総電流との間の前記力率とのうちの２つ以上を含み、
前記処理するステップが、前記超音波振動伝達部材の前記遠位端が直面する前記物質の前記種類と前記超音波カテーテルが通過している前記脈管経路の前記種類とのうちの少なくとも１つを、監視された前記複数の電気的特性から決定するステップを含み、
前記表示するステップが、前記ユーザーインターフェースの前記ディスプレイスクリーンに、監視された複数の前記電気的特性の前記処理に基づいた、前記処理するステップの前記結果を表示するステップを含み、前記結果が、前記超音波振動伝達部材の前記遠位端が直面する前記物質の前記種類と前記超音波カテーテルが通過している前記脈管経路の前記種類とのうちの少なくとも１つを含む、
方法。
【請求項１６】
請求項１３から１５のいずれか一項に記載の方法であって、
前記処理するステップが、前記超音波振動伝達部材の前記遠位端が直面する前記物質の前記種類を決定するために、監視された前記電気的特性の各々を、それぞれの閾値またはデータプロファイルと比較するステップを含む、
方法。
【請求項１７】
請求項１６に記載の方法であって、
前記脈管経路における脈管閉塞部を通る前記超音波振動伝達部材の進行の推移を決定するために、経時的な値の変化について、少なくとも１つの監視された前記電気的特性を監視するステップを含む、
方法。
【請求項１８】
請求項１３から１５のいずれか一項に記載の方法であって、
前記処理するステップが、前記超音波カテーテルが通過している前記脈管経路の前記種類を決定するために、監視された前記電気的特性の各々を、それぞれの閾値またはデータプロファイルと比較するステップを含む、
方法。
【発明の詳細な説明】
【技術分野】
【０００１】
関連出願の相互参照
[0001]なし。
[0002]本発明は、超音波システムおよび方法に関し、より詳細には、超音波システムの超音波治療デバイスを動作させる、および／または、超音波システムの超音波治療デバイスの動作状態を決定する方法に関する。
【背景技術】
【０００２】
[0003]典型的な超音波治療デバイスの使用中に、リアルタイムでの超音波治療デバイスの処置の効果の制御および知識情報はほとんど無いか、まったく無い。例えば、医師は典型的には、ガイドワイヤ上の超音波治療デバイスの超音波カテーテル部を配置し、次に、超音波カテーテルの超音波振動伝達部材の遠位端が直面する物質の種類、および／または、超音波カテーテルが通過している脈管経路の種類についてのフィードバックを一切伴わずに、閉塞部に接触させるように遠位端を動かす。
【発明の概要】
【発明が解決しようとする課題】
【０００３】
[0004]当技術分野において必要とされることは、超音波治療デバイスを動作させる、および／または、超音波治療デバイスの動作状態を決定する方法であって、リアルタイムで、超音波カテーテルの超音波振動伝達部材の遠位端が直面する物質の種類と超音波カテーテルが通過している脈管経路の種類とのうちの少なくとも１つが決定され、および、超音波カテーテルの超音波振動伝達部材の遠位端が直面する物質の種類と超音波カテーテルが通過している脈管経路の種類とのうちの少なくとも１つに基づいて対処される方法である。
【課題を解決するための手段】
【０００４】
[0005]本発明は、超音波カテーテルの超音波振動伝達部材の遠位端が直面する物質の種類と、超音波カテーテルが通過している脈管経路の種類とのうちの少なくとも１つを決定するために、超音波トランスデューサーの１つまたは複数の電気的特性が監視されるシステムおよび方法を提供する。決定は、次に超音波治療デバイスの安定した動作を維持するために、超音波電気信号の周波数および／または波形を制御するために使用され得、および／または、決定の結果はユーザーインターフェースのディスプレイスクリーンに表示され得る。
【０００５】
[0006]本発明の一形態は、超音波電気信号を生成するように構成された超音波信号生成器を含む超音波システムに関する。超音波治療デバイスは、超音波信号生成器に電気的に結合されている。超音波治療デバイスは、超音波カテーテルの超音波振動伝達部材に駆動可能に結合された超音波トランスデューサーを含む。超音波トランスデューサーは、超音波振動伝達部材の超音波振動運動を生成するために超音波電気信号を受信する。回路構成は、超音波トランスデューサーに関連した電気的特性を監視するように構成されている。電気的特性は、超音波トランスデューサーにかかる総電圧、超音波トランスデューサーへの総電流、超音波トランスデューサーの誘導電流、または、総電圧と総電流との間の力率のうちの１つであり得る。回路構成は、超音波振動伝達部材の遠位端が直面する物質の種類と超音波カテーテルが通過している脈管経路の種類とのうちの少なくとも１つ決定するために、監視された電気的特性を処理するように構成されたプロセッサ回路を含む。回路構成は、超音波振動伝達部材の遠位端が直面する物質の種類と超音波カテーテルが通過している脈管経路の種類とのうちの決定された少なくとも１つに基づいて、超音波電気信号の変調周波数と波形とのうちの少なくとも１つを制御するために、超音波信号生成器に供給される制御信号を生成するように構成されている。
【０００６】
[0007]本発明の別の一形態は、超音波カテーテルの超音波振動伝達部材に駆動可能に結合された超音波トランスデューサーを含む超音波治療デバイスを動作させる方法に関する。本方法は、超音波信号生成器を使用して超音波電気信号を生成することと、超音波振動伝達部材の超音波振動運動を生成するために超音波トランスデューサーに超音波電気信号を供給することと、超音波トランスデューサーに関連した電気的特性を監視することであって、電気的特性が、超音波トランスデューサーにかかる総電圧、超音波トランスデューサーへの総電流、超音波トランスデューサーの誘導電流、または総電圧と総電流との間の力率のうちの１つである、監視することと、超音波振動伝達部材の遠位端が直面する物質の種類と超音波カテーテルが通過している脈管経路の種類とのうちの少なくとも１つを決定するために、監視された電気的特性を処理することと、超音波振動伝達部材の遠位端が直面する物質の種類と超音波カテーテルが通過している脈管経路の種類とのうちの決定された少なくとも１つに基づいて、超音波電気信号の変調周波数と波形とのうちの少なくとも１つを制御することとを含む。
【０００７】
[0008]本発明の別の一形態は、超音波カテーテルの超音波振動伝達部材に駆動可能に結合された超音波トランスデューサーを含む超音波治療デバイスの動作状態を決定する方法に関する。本方法は、超音波振動伝達部材の超音波振動運動を生成するために、超音波信号生成器を使用して超音波電気信号により超音波トランスデューサーを励起することと、超音波トランスデューサーに関連した電気的特性を監視することであって、電気的特性が、超音波トランスデューサーにかかる総電圧、超音波トランスデューサーへの総電流、超音波トランスデューサーの誘導電流、または総電圧と総電流との間の力率のうちの１つである、監視することと、超音波振動伝達部材の遠位端が直面する物質と超音波カテーテルが通過している脈管経路の種類とのうちの少なくとも１つを決定するために、監視された電気的特性を処理することと、ユーザーインターフェースのディスプレイスクリーンに、処理するステップの結果を表示することであって、結果が、超音波振動伝達部材の遠位端が直面する物質の種類と超音波カテーテルが通過している脈管経路の種類とのうちの少なくとも１つを含む、表示することとを含む。
【０００８】
[0009]本発明の利点は、粥腫切除術処置中にリアルタイムで、超音波カテーテルの超音波振動伝達部材の遠位端が直面する物質の種類と超音波カテーテルが通過している脈管経路の種類とのうちの少なくとも１つが決定され、および、超音波カテーテルの超音波振動伝達部材の遠位端が直面する物質の種類と超音波カテーテルが通過している脈管経路の種類とのうちの少なくとも１つに基づいて対処され得る。例えば、決定は、超音波治療デバイスの安定した動作を維持するために、超音波電気信号の周波数および／または波形を自動的に調節するために使用され得る。自動制御に代えて、または追加的に、決定の結果が粥腫切除術処置中に医師に表示され得、医師は表示された結果に基づいて粥腫切除術技法を調節し得る。更に、自動制御を利用しないシステムにおいて、表示された結果は、超音波信号生成器の動作パラメータを手動で調節するために医師により使用され得る。
【０００９】
[0010]添付図面とあわせて考慮される本発明の実施形態の以下の説明を参照することにより、本発明の上記の、および他の特徴および利点、およびそれらを達成する手法が更に明確になり、本発明がより良く理解される。
【図面の簡単な説明】
【００１０】
【図１】[0011]本発明の態様による超音波システムのブロック図である。
【図２】[0012]図１の超音波システムの超音波治療デバイスを動作させる、および／または、超音波治療デバイスの動作状態を決定する方法の全体的なフローチャートである。
【図３】[0013]逸脱状態を検出する場合における使用のための閾値および／またはデータプロファイルを決定するための「動作中の逸脱」状態を示すグラフである。
【図４】[0014]図３のグラフの逸脱事象中における「急激な逸脱」状態を示すグラフである。
【図５】[0015]硬質基質の係合および横断を検出する場合における使用のための閾値および／またはデータプロファイルを決定するための「硬質基質中の横断」状態を示すグラフである。
【図６】[0016]複合基質を通過している間に異なる種類の基質を検出する場合における使用のための閾値および／またはデータプロファイルを決定するための「複合基質を通る横断」状態を示すグラフである。
【図７】[0017]脈管経路における屈曲部を通した蛇行／パフォーマンス変動を検出する場合における使用のための閾値および／またはデータプロファイルを決定するための「蛇行経路」状態を示すグラフである。
【発明を実施するための形態】
【００１１】
[0018]複数の図面にわたり、対応する参照符号は対応する部分を示す。本明細書に記載されている例は本発明の一実施形態を示し、このような例は、いかなる手法によっても本発明の範囲を限定するようには解釈されない。
【００１２】
[0019]図面、特に図１を参照すると、粥腫切除術処置に使用され得る超音波システム１０のブロック図が示されている。超音波システム１０は、超音波信号生成器１２、超音波治療デバイス１４、電流測定回路１６、電圧測定回路１８、デジタル信号プロセッサ回路２０、およびユーザーインターフェース２２を含む。
【００１３】
[0020]超音波治療デバイス１４は、超音波トランスデューサー２４、音波カプラ２６、および超音波カテーテル２８を含む。超音波カテーテル２８は、１回の使用のための使い捨てデバイスとして構成され得、超音波カテーテル２８に統合された音波カプラ２６を含み得る。超音波トランスデューサー２４は、再使用可能なハンドピースの一部であり得る。代替的に、超音波治療デバイス１４は、単体の使い捨て組立体であってもよい。超音波カテーテル２８は、シース２８−１と、遠位端２８−３をもつ超音波振動伝達部材２８−２とを含む。超音波振動伝達部材２８−２、例えば芯線は、音波カプラ２６を介して超音波トランスデューサー２４に接続されている。
【００１４】
[0021]超音波信号生成器１２は、例えば、Ｃ．Ｒ．Ｂａｒｄ．，Ｉｎｃ．から入手可能なＣＲＯＳＳＥＲ（登録商標）ブランドの生成器であり得る。超音波トランスデューサー２４は、ＣＲＯＳＳＥＲ（登録商標）ブランドの生成器とともに使用されるＣＲＯＳＳＥＲ（登録商標）ブランドのハンドピースに位置するトランスデューサーであり得る。超音波カテーテル２８は、例えば、Ｃ．Ｒ．Ｂａｒｄ．，Ｉｎｃ．から入手可能なＣＲＯＳＳＥＲ（登録商標）ブランドの慢性完全閉塞（ＣＴＯ：ｃｈｒｏｎｉｃ  ｔｏｔａｌ  ｏｃｃｌｕｓｉｏｎ）超音波カテーテルであり得る。
【００１５】
[0022]動作中、超音波信号生成器１２は、超音波周波数スペクトルにおける超音波電気信号Ｓ１を生成し、例えば１８キロヘルツ（ｋＨｚ）から４０ｋＨｚの動作周波数範囲内であり得、より好ましくは２０ｋＨｚに初期設定される。超音波電気信号Ｓ１は、所定の波形、例えば正弦波または矩形波をもち、可変なデューティサイクルをもつ。デューティサイクルは、例えば最初に５０パーセントであり得、超音波電気信号Ｓ１のオン期間とオフ期間とを調節するように変えられ得る。
【００１６】
[0023]超音波電気信号Ｓ１は、当技術分野において知られているように、超音波振動運動を生成するように超音波トランスデューサー２４を励起するために超音波トランスデューサー２４に供給される。超音波振動運動は、音波カプラ２６を介して超音波カテーテル２８の超音波振動伝達部材２８−２に伝えられる。
【００１７】
[0024]電流測定回路１６は、超音波トランスデューサー２４に供給される総電流を測定するために、超音波信号生成器１２と超音波トランスデューサー２４との間に介在している。電流測定回路１６は、例えば、超音波トランスデューサー２４に供給される総電流を感知するための感知変圧器を含み得る。電流測定回路１６は、デジタル信号プロセッサ回路２０に供給される総電流信号Ｓ２を生成する。
【００１８】
[0025]電圧測定回路１８は、例えば、超音波トランスデューサー２４を通した総電圧降下を測定するために、超音波トランスデューサー２４にまたがって入力側とグランド側との両方に接続されている。電圧測定回路１８は、例えば、超音波トランスデューサー２４にかかる総電圧を感知するための電圧計を含み得る。電圧測定回路１８は、デジタル信号プロセッサ回路２０に供給される総電圧信号Ｓ３を生成する。
【００１９】
[0026]デジタル信号プロセッサ回路２０は、１つまたは複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）として形成され得る。本実施形態では、デジタル信号プロセッサ回路２０は、プロセッサ回路２０−１、アナログ・デジタル（Ａ／Ｄ）コンバーター回路２０−２、アナログ・デジタル（Ａ／Ｄ）コンバーター回路２０−３、入力／出力（Ｉ／Ｏ）回路２０−４、メモリ回路２０−５、および出力インターフェース回路２０−６を含む。
【００２０】
[0027]プロセッサ回路２０−１は、例えば内部電気バスとサポート回路構成とを通して、Ａ／Ｄコンバーター回路２０−２、Ａ／Ｄコンバーター回路２０−３、Ｉ／Ｏ回路２０−４、メモリ回路２０−５、および出力インターフェース回路２０−６の各々に電気的に、および通信可能に結合されている。プロセッサ回路２０−１は、１つまたは複数のプログラム可能マイクロプロセッサ、および、関連する回路構成、例えば、入力／出力インターフェース、クロック、バッファ、メモリなどを含み得る。プロセッサ回路２０−１は、例えば受信された入力データを処理するための、および、出力データを生成および送信するためのプログラム命令を実行するためのメモリ回路２０−５に記憶されたソフトウェアまたはファームウェアを通してプログラムされ得る。
【００２１】
[0028]Ａ／Ｄコンバーター回路２０−２は、アナログ総電流信号Ｓ２を、処理のためにプロセッサ回路２０−１に供給される対応するデジタル表現に変換する。同様に、Ａ／Ｄコンバーター回路２０−３は、アナログ総電圧信号Ｓ３を、処理のためにプロセッサ回路２０−１に供給される対応するデジタル表現に変換する。
【００２２】
[0029]ユーザーインターフェース２２は、例えばマルチワイヤケーブルまたはＵＳＢを通してＩ／Ｏ回路２０−４に電気的に、および通信可能に結合され得る。代替的に、ユーザーインターフェース２２は、Ｉ／Ｏ回路２０−４に通信可能に結合された無線リンク、例えばＢｌｕｅｔｏｏｔｈであってもよい。ユーザーインターフェース２２は、例えば、タッチスクリーンデバイス、コンピュータ、タブレット、またはスマートフォンであり得る。ユーザーインターフェース２２はユーザー入力コマンドをデジタル信号プロセッサ回路２０に送信するように構成されており、ユーザーインターフェース２２のディスプレイスクリーン２２−１における表示のために、デジタル信号プロセッサ回路２０から出力情報を受信するように構成されている。ディスプレイスクリーン２２−１は、例えば、液晶ディスプレイ（ＬＣＤ：ｌｉｑｕｉｄ  ｃｒｙｓｔａｌ  ｄｉｓｐｌａｙ）、または発光ダイオード（ＬＥＤ：ｌｉｇｈｔ−ｅｍｉｔｔｉｎｇ  ｄｉｏｄｅ）ディスプレイのうちの１つであり得る。
【００２３】
[0030]メモリ回路２０−５は、当技術分野においてもよく知られているように、複数のデータ記憶位置を含む電子的非一時的メモリである。メモリ回路２０−５は、揮発性メモリ回路、例えば、ランダムアクセスメモリ（ＲＡＭ：ｒａｎｄｏｍ  ａｃｃｅｓｓ  ｍｅｍｏｒｙ）、および、不揮発性メモリ回路、例えば、読み出し専用メモリ（ＲＯＭ：ｒｅａｄ  ｏｎｌｙ  ｍｅｍｏｒｙ）、電子的に消去可能でプログラム可能なＲＯＭ（ＥＥＰＲＯＭ：ｅｌｅｃｔｒｏｎｉｃａｌｌｙ  ｅｒａｓａｂｌｅ  ｐｒｏｇｒａｍｍａｂｌｅ  ＲＯＭ）、ＮＯＲフラッシュメモリ、ＮＡＮＤフラッシュメモリなどのうちの１つまたは複数を含み得る。
【００２４】
[0031]出力インターフェース回路２０−６は、超音波信号生成器１２の制御入力に、例えばマルチワイヤケーブルまたはＵＳＢを通して電気的に、および通信可能に結合されている。代替的に、出力インターフェース回路２０−６は、超音波信号生成器１２に通信可能に結合された無線リンク、例えばＢｌｕｅｔｏｏｔｈであってもよい。出力インターフェース回路２０−６は、プロセッサ回路２０−１から制御信号を受信し、超音波信号生成器１２により受信される出力制御信号Ｓ４を生成するために、必要に応じて、制御信号を調整（例えばアナログ・デジタル変換、信号増幅など）する。
【００２５】
[0032]本実施形態において、プロセッサ回路２０−１は、Ａ／Ｄコンバーター回路２０−２により供給された総電流信号Ｓ２のデジタル表現と、Ａ／Ｄコンバーター回路２０−３により供給された総電圧信号Ｓ３のデジタル表現とを処理するために、プログラム命令を実行する。プログラム命令は、例えば、総電流信号Ｓ２と総電圧信号Ｓ３との間の力率を計算するためのプログラムステップを含み得、および、超音波トランスデューサー２４の、例えば超音波トランスデューサー２４により生成された誘導（運動）電流を計算するためのプログラムステップを含み得る。プログラム命令は、必要に応じて、超音波トランスデューサー２４の力率および／または誘導電流を計算するために、代数関数、比較関数、利得制御関数、フェーズロックループ関数、および／または、ゼロ線交差計算関数を含み得る。
【００２６】
[0033]更に図２を参照すると、超音波治療デバイス１４を動作させる、および／または、超音波治療デバイス１４の動作状態を決定する方法の全体的なフローチャートが示されている。図２のフローチャートのステップの各々は、電圧測定回路１８により生成された総電圧信号Ｓ３のデジタル表現（Ａ／Ｄコンバーター回路２０−３の出力）により示される超音波トランスデューサー２４にかかる総電圧、および／または、電流測定回路１６により生成された総電流信号Ｓ２のデジタル表現（Ａ／Ｄコンバーター回路２０−２の出力）により示される超音波トランスデューサー２４に供給される総電流と組み合わされてプロセッサ回路２０−１により実行されるプログラム命令として実現され得る。
【００２７】
[0034]図２のステップＳ１００を参照すると超音波トランスデューサー２４に関連した１つまたは複数の電気的特性が監視される。本実施形態において、デジタル信号プロセッサ回路２０は、電流測定回路１６および／または電圧測定回路１８から受信された入力に基づいて、超音波トランスデューサー２４に関連した少なくとも１つの電気的特性を監視する。電気的特性は、総電圧信号Ｓ３のデジタル表現により示される超音波トランスデューサー２４にかかる総電圧、総電流信号Ｓ２のデジタル表現により示される超音波トランスデューサー２４への総電流、プロセッサ回路２０−１により実行されるプログラム命令を使用して計算された超音波トランスデューサー２４の誘導電流、または、プロセッサ回路２０−１により実行されるプログラム命令を使用して計算された総電圧と総電流との間の力率のうちの１つまたは複数であり得る。
【００２８】
[0035]ステップＳ１０２において、超音波振動伝達部材２８−２の遠位端２８−３が直面する物質の種類、および／または、超音波カテーテル２８が通過している脈管経路の種類を決定するために、監視された電気的特性が処理される。例えば、本実施形態において、プロセッサ回路２０−１は、超音波振動伝達部材２８−２の遠位端２８−３が直面する物質の種類と、超音波カテーテル２８が通過している脈管経路の種類とのうちの少なくとも１つを決定するために、監視された電気的特性を処理する。処理するステップは、プロセッサ２０−１により実施され、超音波振動伝達部材２８−２の遠位端２８−３が直面する物質の種類を決定するために、監視された電気的特性の各々をそれぞれの閾値（一点（又は、シングル・ポイント）データ）および／またはデータプロファイル（経時的な多点（又は、マルチ・ポイント）データ）と比較することを含む。それぞれの閾値、および／または、複数の閾値のデータプロファイル、および／またはデータプロファイルの各々が、デジタル数値として表され、プロセッサ回路２０−１によるアクセスのためにメモリ回路２０−５に記憶され得る。
【００２９】
[0036]例えば、総電圧信号Ｓ３のデジタル表現により示される超音波トランスデューサー２４にかかる総電圧は、総電圧閾値および／または総電圧データプロファイルと比較され得る。総電流信号Ｓ２のデジタル表現により示される超音波トランスデューサー２４への総電流は、総電流閾値および／または総電流データプロファイルと比較され得る。プロセッサ回路２０−１により実行されるプログラム命令を使用して計算された超音波トランスデューサー２４の誘導電流は、誘導電流閾値および／またはデータプロファイルと比較され得る。プロセッサ回路２０−１により実行されるプログラム命令を使用して計算された総電圧と総電流との間の力率は、力率閾値および／または力率データプロファイルと比較され得る。
【００３０】
[0037]ステップＳ１０４において、超音波電気信号Ｓ１の変調周波数と波形とのうちの少なくとも１つが、処理するステップＳ１０２における決定に基づいて制御される。最初に、例えば、超音波電気信号Ｓ１に対する基本となる周波数は２０ｋＨｚであり得、変調周波数は例えば１０Ｈｚであり得る。一例として、変調周波数の変化量は、プラスまたはマイナス１００パーセントの範囲内、すなわち、０Ｈｚ〜２０Ｈｚの範囲内であり得る。
【００３１】
[0038]本実施形態において、ステップＳ１０２における処理の結果として、プロセッサ回路２０−１は、出力インターフェース回路２０−６により調整される、および超音波信号生成器１２に出力制御信号Ｓ４として供給される制御信号を生成し得る。出力制御信号Ｓ４は超音波信号生成器１２により受信され、超音波カテーテル２８の超音波振動伝達部材２８−２の遠位端２８−３が直面する決定された物質の種類、および／または、超音波カテーテル２８が通過している脈管経路の種類（例えば、屈曲部、蛇行、直線など）に基づいて、超音波電気信号Ｓ１の変調周波数と波形（例えばデューティサイクル）とのうちの少なくとも１つを制御するようになっており、それにより、超音波治療デバイス１４、および特に超音波カテーテル２８を安定した動作状態に維持し、超音波振動伝達部材２８−２の破損の危険性を減らすようになっている。
【００３２】
[0039]ステップＳ１０６において、処理するステップＳ１０２の決定の結果は、ユーザーインターフェース２２のディスプレイスクリーン２２−１に表示され得る。ステップＳ１０６が、ステップＳ１０４に対して補完的であるか、またはステップＳ１０４の代わりであり得ることが想定される。
【００３３】
[0040]本実施形態において、ステップＳ１０６において、プロセッサ回路２０−１により実施される処理の結果（ステップＳ１０２参照）が、ユーザーインターフェース２２のディスプレイスクリーン２２−１に表示され得る。結果は、テキスト形態、画像形態、グラフィカル形態、またはそれらの組み合わせであり得る。表示される結果は、逸脱の識別結果、超音波振動伝達部材２８−２の遠位端２８−３が直面している物質の種類、および／または、例えば脈管経路の蛇行といった、超音波カテーテル２８が通過している脈管経路の種類の識別結果を含み得る。
【００３４】
[0041]加えて、ステップＳ１００〜ステップＳ１０６の補足として、監視された電気的特性の各々が、内部に超音波カテーテル２８が配備される脈管経路における脈管閉塞部（例えば病巣またはプラーク）を通る超音波カテーテル２８の超音波振動伝達部材２８−２の進行の推移を決定するために、経時的な値の変化を検出するために、ある期間、例えば０．５秒から１秒にわたって監視され得る。脈管経路における脈管閉塞部を通る超音波カテーテル２８の超音波振動伝達部材２８−２の進行の推移は、ユーザーインターフェース２２のディスプレイスクリーン２２−１にグラフ形式で示され得る。
【００３５】
[0042]図３〜図６は、様々な粥腫切除術事象の発生を知らせるために、経験的なデータが適切な閾値および／または動作プロファイルを決定するためにどのように使用され得るかを示す。図３〜図６の各々において、別段の指定が無い限り、縦軸はボルトを単位としており、横軸は任意の時間を単位としている。図３〜図６の各々において、実際のデータポイントが点により表され、長方形はデータポイントのグルーピングに関連した電圧の範囲を表す。データは、Ｃ．Ｒ．Ｂａｒｄ．，Ｉｎｃ．から入手可能な、ＣＲＯＳＳＥＲ（登録商標）超音波カテーテルシステムを使用して、および、ＣＲＯＳＳＥＲ（登録商標）ブランドの慢性完全閉塞（ＣＴＯ）超音波カテーテル、モデルＣＲ１４Ｓカテーテルを使用して収集された。
【００３６】
[0043]更に、図３〜図５のグラフの各々に対して、超音波信号生成器１２は、以下のパラメータ設定、すなわち、自動利得制御（ＡＧＣ：ａｕｔｏｍａｔｉｃ  ｇａｉｎ  ｃｏｎｔｒｏｌ）９００、１０Ｈｚ変調を伴う２０ｋＨｚの周波数および５０パーセントのデューティサイクルを使用して動作するように設定されており、開始フェーズは１５００ボルトである。図６のグラフに対して、超音波信号生成器１２は、以下のパラメータ設定、すなわち、自動利得制御（ＡＧＣ）７００、１７Ｈｚ変調を伴う２０ｋＨｚの周波数、および５０パーセントのデューティサイクルを使用して動作するように設定されており、開始フェーズは１６００ボルトである。図７のグラフに対して、超音波信号生成器１２は、以下のパラメータ設定、すなわち、自動利得制御（ＡＧＣ）７００、１０Ｈｚ変調を伴う２０ｋＨｚの周波数、および５０パーセントのデューティサイクルを使用して動作するように設定されており、開始フェーズは１６００ボルトである。図３〜図６の様々なグラフの説明において、「通常動作」という用語は、脈管経路における脈管閉塞部との係合前における、脈管経路における超音波カテーテル２８の動作を意味する。
【００３７】
[0044]図３のグラフは、動作中における逸脱の事象を検出することに関連する。本明細書において使用されるとき、「逸脱」という用語は、超音波振動伝達部材２８−２の遠位端２８−３が脈管閉塞部（例えばプラークまたは病巣）に押し付けられ、超音波振動伝達部材２８−２が屈曲し始めて破損をもたらすおそれがある状態である。実験又は観察データが、通常動作状態中に、動作中の逸脱を伴って収集された。図３のグラフは、動作中の逸脱が検出されたか否かを判定するために、リアルタイムで、総電圧信号Ｓ３のデジタル表現の比較のための閾値（一点データ）、または代替的にはプロファイルデータ（状態を示す経時的な多点データ）を決定するための基礎を形成し得る。閾値または代替的にはプロファイルデータが、比較を行う場合におけるプロセッサ回路２０−１による取り出しおよび使用のために、メモリ回路２０−５に記憶され得る。
【００３８】
[0045]例えば、グラフによると、１４００未満の電圧測定回路１８により測定された総電圧は、超音波治療デバイス１４が通常動作状態にあることを示し、１５００ボルトより高い値は、超音波治療デバイス１４が逸脱した動作状態にあることを示す。したがって、「動作中の逸脱」状態を示すための総電圧信号Ｓ３（超音波トランスデューサー２４にかかる電圧）のデジタル表現との比較のための総電圧閾値は、許容されるオーバーシュートまたはアンダーシュートの量に応じて、１４００ボルトから１５００ボルトの範囲内において選択され得る。次に、出力制御信号Ｓ４は、逸脱が超音波振動伝達部材２８−２に対して破壊的となることを防ぐように調節され得る。
【００３９】
[0046]図４のグラフは、図３の「動作中の逸脱」事象のうちの１つにおける急激な逸脱の事象に関連しており、より高い解像度で示される。総電圧閾値を横断する急激なうねりが急激な逸脱状態を示すことに留意されたい。
【００４０】
[0047]図５のグラフは、硬質基質を検出する事象、および、例えば脈管経路における石灰化プラークといった硬質基質との係合および／または硬質基質の横断を検出する事象に関連する。実験又は観察データは、通常動作状態中に、および、硬質基質の係合および横断中に収集された。図５のグラフは、硬質基質を検出するために、硬質基質との係合を検出するために、および／または、硬質基質の横断を検出するために、リアルタイムで、総電圧信号Ｓ３のデジタル表現の比較のための閾値（シングル・ポイントデータ）、または代替的にはプロファイルデータ（状態を示す経時的なマルチ・ポイントデータ）を決定するための基礎を形成し得る。閾値または代替的にはプロファイルデータは、比較を行う場合におけるプロセッサ回路２０−１による取り出しおよび使用のために、および、逸脱を防ぐために出力制御信号Ｓ４を調節するために、メモリ回路２０−５に記憶され得る。
【００４１】
[0048]例えば、グラフによると、電圧測定回路１８により測定された１１５０ボルト未満の総電圧が、通常動作状態から硬質基質横断状態との関与への超音波治療デバイス１４の動作の遷移を示すための横断状態における総電圧閾値として使用され得る。処置が所定の期間にわたって総電圧閾値未満に留まっている場合、超音波振動伝達部材２８−２の遠位端２８−３が硬質基質を横断している過程にある、すなわち、「硬質基質中の横断」状態にあるという決定が行われ得る。したがって、硬質基質横断状態を示すための超音波トランスデューサー２４にかかる総電圧との比較のための総電圧閾値は、許容されるオーバーシュートまたはアンダーシュートの量に応じて１１５０ボルトであるように選択され得る。
【００４２】
[0049]図６のグラフは、脈管経路における複合基質を通過する間に異なる基質の種類を検出することに関連し、例えば複合基質は硬質の近位キャップと遠位キャップとを含み、および、近位キャップと遠位キャップとの間に比較的柔らかい物質を含む。実験または観察データは、通常動作状態中に、および複合基質の係合および横断中に収集された。図６のグラフは、複合基質を検出するために、複合基質との係合を検出するためにおよび／または、複合基質の横断を検出するために、リアルタイムで、総電圧信号Ｓ３のデジタル表現の比較のための閾値（シングル・ポイントデータ）、または代替的にはプロファイルデータ（状態を示す経時的なマルチ・ポイントデータ）を決定するための基礎を形成し得る。閾値または代替的にはプロファイルデータは、比較を行う場合におけるプロセッサ回路２０−１による取り出しおよび使用のために、および必要な場合に逸脱を防ぐように出力制御信号Ｓ４を調節するために、メモリ回路２０−５に記憶され得る。
【００４３】
[0050]例えば、図６のグラフによると、電圧測定回路１８により測定された１５５０ボルト未満の総電圧は、近位キャップからより柔らかい内部物質への、および後方の遠位キャップへの超音波治療デバイス１４の動作の遷移を示すために横断状態における総電圧閾値として使用され得る。このグラフにおいて、１４５０未満において逸脱が検出された。処置が所定の期間にわたって１５５０の総電圧閾値より高く留まっている場合、超音波振動伝達部材２８−２の遠位端２８−３が脈管閉塞部の近位キャップと遠位キャップとの間におけるより柔らかい内部物質を横断している過程にあるという決定が行われ得る。
【００４４】
[0051]図７は、脈管経路における屈曲部を通した蛇行／パフォーマンス変動を検出するために使用される経時的な総電圧の実質的に正弦波状の変動を示すグラフを示す。この例において、グラフは、経時的な総電圧のおおむね正弦波状の変動を示し、正弦曲線のピーク間の期間は、脈管経路における屈曲部を通した蛇行／パフォーマンス変動を表した、例えば１５０センチメートル（ｃｍ）といった、超音波振動伝達部材２８−２の超音波振動のノード（節点又は波節）間隔に相関し得る。図７のグラフは、蛇行／パフォーマンス変動を検出するために、リアルタイムで、総電圧信号Ｓ３のデジタル表現の比較のための閾値（シングル・ポイントデータ）、または代替的にはプロファイルデータ（状態を示す経時的なマルチ・ポイントデータ）を決定するための基礎を形成し得る。閾値または代替的にはプロファイルデータは、比較を行う場合におけるプロセッサ回路２０−１による取り出しおよび使用のために、メモリ回路２０−５に記憶され得る。
【００４５】
[0052]図３〜図７のグラフがリアルタイムで様々な基質物質ならびに逸脱および横断状態を検出するために超音波トランスデューサー２４にかかる総電圧を監視することに関連したデータの収集に基づいて生成されたが、当業者は、超音波トランスデューサー２４に関連した他の電気的特性のうちの任意のものを使用して逸脱および横断事象をリアルタイムで検出するための代表的な閾値を決定する場合において、同様の実験又は観察データが収集され、および使用され得ることを認識するであろう。加えて、複数の電気的特性が、様々な逸脱および横断事象のリアルタイム検出において同時に監視され、および使用され得ることが想定される。したがって、例えば、監視された電気的特性は、総電圧信号Ｓ３のデジタル表現により示される超音波トランスデューサー２４にかかる総電圧、総電流信号Ｓ２のデジタル表現により示される超音波トランスデューサー２４への総電流、プロセッサ回路２０−１により実行されるプログラム命令を使用して計算された超音波トランスデューサー２４の誘導電流、および／または、プロセッサ回路２０−１により実行されるプログラム命令を使用して計算された総電圧と総電流との間の力率のうちの１つまたは複数であり得る。
【００４６】
[0053]以下の事項も本発明に関連している。
[0054]概して、経路が人体の外部の経路であることが考えられる。一形態において、本発明は、任意選択的に脈管治療のための、超音波電気信号を生成するように構成された超音波信号生成器を含む超音波システムに関する。超音波治療デバイスは、超音波信号生成器に電気的に結合されている。超音波治療デバイスは、超音波カテーテルの超音波振動伝達部材に駆動可能に結合された超音波トランスデューサーを含む。超音波トランスデューサーは、超音波振動伝達部材の超音波振動運動を生成するために超音波電気信号を受信するように構成されている。回路構成は超音波トランスデューサーに関連した電気的特性を監視するように構成されており、電気的特性は、超音波トランスデューサーにかかる総電圧、超音波トランスデューサーへの総電流、超音波トランスデューサーの誘導電流、または総電圧と総電流との間の力率のうちの１つであり、回路構成は、超音波振動伝達部材の遠位端が直面する物質の種類と、超音波カテーテルが通過している経路（任意選択的に脈管経路）の種類とのうちの少なくとも１つを決定するために、監視された電気的特性を処理するように構成されたプロセッサ回路を含む。回路構成は、超音波振動伝達部材の遠位端が直面する物質の種類と超音波カテーテルが通過している経路（任意選択的に脈管経路）の種類とのうちの決定された少なくとも１つに基づいて、超音波電気信号の変調周波数と波形とのうちの少なくとも１つを制御するために超音波信号生成器に供給される制御信号を生成するように構成されている。
【００４７】
[0055]ユーザーインターフェースのディスプレイスクリーンに処理するステップの結果を表示するために、ユーザーインターフェースが含まれ得る。結果は、超音波振動伝達部材の遠位端が直面する物質の種類、逸脱状態、および超音波カテーテルが通過している経路（任意選択的に脈管経路）の種類のうちの少なくとも１つを含み得る。
【００４８】
[0056]上述のように、監視する行為は、超音波トランスデューサーに関連した複数の電気的特性を監視することを含み得、複数の電気的特性は、超音波トランスデューサーにかかる総電圧、超音波トランスデューサーへの総電流、超音波トランスデューサーの誘導電流、および総電圧と総電流との間の力率のうちの２つ以上を含む。更に、処理する行為は、超音波振動伝達部材の遠位端が直面する物質と、超音波カテーテルが通過している経路（任意選択的に脈管経路）の種類とのうちの少なくとも１つを決定するために、監視された複数の電気的特性を処理することを含み得る。
【００４９】
[0057]プロセッサ回路は、超音波振動伝達部材の遠位端が直面する物質の種類を決定するために、それぞれの閾値またはデータプロファイルを、監視された電気的特性の各々と比較し得る。
【００５０】
[0058]補足的な、または代替的な動作として、回路構成は、経路（任意選択的に脈管経路）における閉塞部（任意選択的に脈管閉塞部）を通る超音波振動伝達部材の進行の推移を決定するために、経時的な値の変化を検出するために、監視された電気的特性の各々を監視するように構成され得る。
【００５１】
[0059]補足的な、または代替的な動作として、プロセッサ回路は、超音波カテーテルが通過している経路（任意選択的に脈管経路）の種類を決定するために、監視された電気的特性の各々を、それぞれの閾値またはデータプロファイルと比較するように構成され得る。
【００５２】
[0060]本発明は、更に、超音波システムにおける超音波治療デバイスを動作させる方法に関し、超音波治療デバイスが、任意選択的に、段落５４から５９のデバイスであり、デバイスが、超音波カテーテルの超音波振動伝達部材に駆動可能に結合された超音波トランスデューサーを含んでいる。本方法は、超音波信号生成器を使用して超音波電気信号を生成することと；超音波振動伝達部材の超音波振動運動を生成するために、超音波トランスデューサーに超音波電気信号を供給することと；超音波トランスデューサーに関連した電気的特性を監視することであって、電気的特性が、超音波トランスデューサーにかかる総電圧、超音波トランスデューサーへの総電流、超音波トランスデューサーの誘導電流、または総電圧と総電流との間の力率のうちの１つである、監視することと；超音波振動伝達部材の遠位端が直面する物質の種類と超音波カテーテルが通過している経路の種類とのうちの少なくとも１つを決定するために、監視された電気的特性を処理することと；超音波振動伝達部材の遠位端が直面する物質の種類と超音波カテーテルが通過している経路の種類とのうちの決定された少なくとも１つに基づいて、超音波電気信号の変調周波数と波形とのうちの少なくとも１つを制御することとを含む。本発明は、更に、このような方法を適用するためのシステムに関し、および、それにしたがって治療デバイスおよび／または超音波システムを制御するための制御ユニットに関する。
【００５３】
[0061]本方法は、ユーザーインターフェースのディスプレイスクリーンに、処理するステップの結果を表示することを更に含み得、結果が、超音波振動伝達部材の遠位端が直面する物質の種類と超音波カテーテルが通過している経路の種類とのうちの少なくとも１つを含む。
【００５４】
[0062]監視するステップは、超音波トランスデューサーに関連した複数の電気的特性を監視することを含み得、複数の電気的特性が、超音波トランスデューサーにかかる総電圧、超音波トランスデューサーへの総電流、超音波トランスデューサーの誘導電流、および総電圧と総電流との間の力率のうちの２つ以上を含む。
【００５５】
[0063]処理するステップは、超音波振動伝達部材の遠位端が直面する物質と超音波カテーテルが通過している経路の種類とのうちの少なくとも１つを決定するために、監視された複数の電気的特性を処理することを含み得る。
【００５６】
[0064]処理するステップは、超音波振動伝達部材の遠位端が直面する物質の種類を決定するために、監視された電気的特性の各々を、それぞれの閾値またはデータプロファイルと比較することを含み得る。
【００５７】
[0065]補足的な、または代替的な動作として、本方法は、経路における閉塞部を通る超音波振動伝達部材の進行の推移を決定するために、経時的な値の変化を検出するために、監視された電気的特性の各々を監視することを含み得る。
【００５８】
[0066]補足的な、または代替的な動作として、処理するステップは、超音波カテーテルが通過している経路の種類を決定するために、監視された電気的特性の各々を、それぞれの閾値またはデータプロファイルと比較することを含み得る。
【００５９】
[0067]本発明は、更に、超音波システムにおける、任意選択的に段落５４から５９のデバイスといった超音波治療デバイスの動作状態を決定する方法、すなわち超音波システムにおける超音波治療デバイスを動作させる方法に関し、超音波治療デバイスが、超音波カテーテルの超音波振動伝達部材に駆動可能に結合された超音波トランスデューサーを含んでいる。本方法は、超音波振動伝達部材の超音波振動運動を生成するために、超音波信号生成器を使用して超音波電気信号により超音波トランスデューサーを励起することと；超音波トランスデューサーに関連した電気的特性を監視することであって、電気的特性が、超音波トランスデューサーにかかる総電圧、超音波トランスデューサーへの総電流、超音波トランスデューサーの誘導電流、または総電圧と総電流との間の力率のうちの１つである、監視することと；超音波振動伝達部材の遠位端が直面する物質と超音波カテーテルが通過している経路の種類とのうちの少なくとも１つを決定するために、監視された電気的特性を処理することと；ユーザーインターフェースのディスプレイスクリーンに、処理するステップの結果を表示することであって、結果が、超音波振動伝達部材の遠位端が直面する物質の種類と超音波カテーテルが通過している経路の種類とのうちの少なくとも１つを含む、表示することとを含む。本発明は、更に、このような方法を適用するためのシステム、および、それにしたがって治療デバイスおよび／または超音波システムを制御するための制御ユニットに関する。
【００６０】
[0068]本方法は、超音波振動伝達部材の遠位端が直面する物質と超音波カテーテルが通過している経路の種類とのうちの決定された少なくとも１つに基づいて、超音波電気信号の変調周波数と波形とのうちの少なくとも１つを制御することを更に含み得る。
【００６１】
[0069]監視するステップは、超音波トランスデューサーに関連した複数の電気的特性を監視することを含み得、複数の電気的特性が、超音波トランスデューサーにかかる総電圧、超音波トランスデューサーへの総電流、超音波トランスデューサーの誘導電流、および総電圧と総電流との間の力率のうちの２つ以上を含む。
【００６２】
[0070]処理するステップは、監視された複数の電気的特性から、超音波振動伝達部材の遠位端が直面する物質の種類と超音波カテーテルが通過している経路の種類とのうちの少なくとも１つを決定することを含み得る。
【００６３】
[0071]表示するステップは、ユーザーインターフェースのディスプレイスクリーンに、監視された複数の電気的特性の処理に基づいた、処理するステップの結果を表示することを含み得、結果が、超音波振動伝達部材の遠位端が直面する物質の種類と超音波カテーテルが通過している経路の種類とのうちの少なくとも１つを含む。
【００６４】
[0072]処理するステップが、超音波振動伝達部材の遠位端が直面する物質の種類を決定するために、監視された電気的特性の各々を、それぞれの閾値またはデータプロファイルと比較することを含み得る。
【００６５】
[0073]補足的な、または代替的な動作として、本方法は、経路における閉塞部を通る超音波振動伝達部材の進行の推移を決定するために、経時的な値の変化について少なくとも１つの監視された電気的特性を監視することを含み得る。
【００６６】
[0074]補足的な、または代替的な動作として、処理するステップは、超音波カテーテルが通過している経路の種類を決定するために、監視された電気的特性の各々を、それぞれの閾値またはデータプロファイルと比較することを含み得る。
【００６７】
[0075]本明細書において使用される「脈管経路」という用語は、例えば動物または人間といった生き物における実際の脈管経路であり得、または、例えば様々な寸法および構成のポリマーチューブといった脈管経路の模擬表現であり得、ここで超音波システムが、試験、評価、訓練、および／または治療のために使用され得る。
【００６８】
[0076]更に、本明細書において使用されるとき、「実質的に」、「おおむね」、および、程度を表す他の用語は、そのように修飾された特性からの許容可能な変動を示すことを意図した相対的な修飾語句である。これらの用語は、これらの用語が修正する絶対的な値または特性に限定されることを意図したものでは無く、むしろ、その反対に、このような物理的な、または機能的な特性に近い、または近似される、より多くの物理的な、または機能的な特性を含む。
【００６９】
[0077]少なくとも１つの実施形態に関連して本発明が説明されているが、本発明は、本開示の趣旨および範囲内において更に変更され得る。したがって、本出願は、その共通の原理を利用した本発明の任意の変形、使用、または適用を包含することを意図したものである。更に、本出願は、本発明が関連する技術分野において知られた、または慣行の範囲に含まれるような、および添付の請求項の限定に含まれるような、本開示からの展開を包含することを意図したものである。
【図１】
2021533842.tif 000003
【図２】
2021533842.tif 000004
【図３】
2021533842.tif 000005
【図４】
2021533842.tif 000006
【図５】
2021533842.tif 000007
【図６】
2021533842.tif 000008
【図７】
2021533842.tif 000009
【国際調査報告】
2021533842.tif 000010
2021533842.tif 000011
2021533842.tif 000012
2021533842.tif 000013